(57)【要約】【課題】ユーザが希望する時間に、事業所の負荷の電力需要に適した電力量で、複数の電気自動車の電池の充放電を行う。【解決手段】事業所の充放電管理システムであって、電力事業者の送電系統から電力を受電する受電設備と、複数の電気自動車と、何れかの電気自動車と受電設備とに電気的に接続され、受電設備が受電した電力を用いて電気自動車の電池に充電する充電動作と電気自動車の電池から負荷に電力を供給する放電動作とを行う充放電器と、Ｖ２Ｂコントローラとを備え、Ｖ２Ｂコントローラは、ユーザから、枠時間単位で充電動作を行う充電コマと放電動作を行う放電コマとの設定を受け付け、至近の所定期間における負荷による受電電力の使用電力量に基づき、充電コマにおける充電電力量と放電コマにおける放電電力量とを設定し、充電コマにおいて当該設定された充電電力量で充電動作を行い、放電コマにおいて当該設定された放電電力量で放電動作を行う。【選択図】図１
2022003849.tif 000002
【特許請求の範囲】
【請求項１】
電力事業者から電力を受給する事業所の充放電管理システムであって、
前記電力事業者の送電系統から電力を受電する受電設備と、
充放電可能な電池を備える複数の電気自動車と、
前記複数の電気自動車のうちの何れかの電気自動車と前記受電設備とに電気的に接続され、前記受電設備が受電した受電電力を用いて前記電気自動車の電池に充電する充電動作と、前記電気自動車の電池から、前記受電設備に電気的に接続された負荷に電力を供給する放電動作と、を行う充放電器と、
前記充放電器の前記充電動作及び前記放電動作を制御するＶ２Ｂコントローラと、
を備え、
前記Ｖ２Ｂコントローラは、
ユーザから、所定の枠時間単位で、前記充放電器に前記充電動作を行わせる充電コマと前記充放電器に前記放電動作を行わせる放電コマとの設定を受け付け、
至近の所定期間における、前記負荷による前記受電電力の使用電力量に基づき、前記充電コマにおける充電電力量又は前記放電コマにおける放電電力量を設定し、
前記充電コマにおいて、前記充放電器に、当該設定された充電電力量で前記充電動作を行わせ、前記放電コマにおいて、前記充放電器に、当該設定された放電電力量で前記放電動作を行わせる、
充放電管理システム。
【請求項２】
前記Ｖ２Ｂコントローラは、前記充電コマにおける充電電力量を設定する場合に、
予め定められた、前記枠時間における第一目標ピーク電力量と、当該充電コマの開始直前の所定の第一時間における前記使用電力量と、に基づいて当該充電コマにおける余剰電力量を予測し、当該予測した余剰電力量に基づいて当該充電コマにおける充電電力量を設定する、
請求項１に記載の充放電管理システム。
【請求項３】
前記Ｖ２Ｂコントローラは、前記充電コマにおける充電電力量を設定する場合に、
単位時間当たりの前記使用電力量が一定であるものとして、当該充電コマの開始直前の前記第一時間における前記使用電力量を当該充電コマにおける前記使用電力量に換算し、
当該換算の結果を前記第一目標ピーク電力量から減算した結果を、当該充電コマにおける余剰電力量として予測し、
当該予測した余剰電力量が０より大きい場合、当該予測した余剰電力量を当該充電コマにおける充電電力量として設定し、当該予測した余剰電力量が０以下の場合、当該充電コマにおいて、前記充放電器に前記充電動作を行わせない、
請求項２に記載の充放電管理システム。
【請求項４】
前記Ｖ２Ｂコントローラは、
前記充電コマの開始時から前記第一時間が経過する度に、前記第一目標ピーク電力量と当該第一時間における前記使用電力量と当該第一時間における充電電力量とに基づいて当該充電コマの残りの期間における余剰電力量を予測し、当該予測した余剰電力量に基づいて当該残りの期間における充電電力量を設定する、
請求項２又は３に記載の充放電管理システム。
【請求項５】
前記Ｖ２Ｂコントローラは、
前記充電コマにおいて前記第一時間が経過する度に、単位時間当たりの前記使用電力量が一定であるものとして、当該第一時間における前記使用電力量を前記残りの期間における前記使用電力量に換算し、
当該換算の結果と当該充電コマの開始時から現時点までの経過時間における前記使用電力量と前記経過時間における充電電力量との和を、前記第一目標ピーク電力量から減算した結果を、前記残りの期間における余剰電力量として予測し、
当該予測した余剰電力量が０より大きい場合、当該予測した余剰電力量を前記残りの期間における充電電力量として設定し、当該予測した余剰電力量が０以下の場合、前記残りの期間において、前記充放電器に前記充電動作を行わせない、
請求項４に記載の充放電管理システム。
【請求項６】
前記Ｖ２Ｂコントローラは、
前記事業所の営業時間外の時間を、前記枠時間単位で、前記充電コマとして設定し、
前記営業時間外の前記充電コマにおいて、前記充放電器に定格の充電電力量で前記充電動作を行わせ、前記第一時間が経過する度に、当該第一時間における前記使用電力量と当該第一時間において前記充放電器が前記受電電力を使用した電力量との和である至近使用電力量と、予め定められた、前記第一時間における第二目標ピーク電力量と、を比較し、前記至近使用電力量が前記第二目標ピーク電力量よりも大きいときは、当該充電コマにおける残りの期間、前記充放電器に前記充電動作を行わせない、
請求項２から５の何れか一項に記載の充放電管理システム。
【請求項７】
前記Ｖ２Ｂコントローラは、前記放電コマにおける放電電力量を設定する場合に、
予め定められた、前記枠時間における第一目標ピーク電力量と、当該放電コマの開始直前の所定の第一時間における前記使用電力量と、に基づいて当該放電コマにおける超過電力量を予測し、当該予測した超過電力量に基づいて当該放電コマにおける放電電力量を設定する、
請求項１から６の何れか一項に記載の充放電管理システム。
【請求項８】
前記Ｖ２Ｂコントローラは、前記放電コマにおける放電電力量を設定する場合に、
単位時間当たりの前記使用電力量が一定であるものとして、当該放電コマの開始直前の前記第一時間における前記使用電力量を当該放電コマにおける前記使用電力量に換算し、
当該換算の結果から前記第一目標ピーク電力量を減算した結果を、当該放電コマにおける超過電力量として予測し、
当該予測した超過電力量が０より大きい場合、現時点における前記電気自動車の電池の充電量から、前記電気自動車の利用に必要な所定の下限充電量を減算し、当該減算の結果を、現時点から前記事業所の所定の終業時刻までの期間に設定されている前記放電コマの数である残存放電コマ数で除算した結果に基づいて、当該放電コマにおける放電電力量を設定し、当該予測した超過電力量が０以下の場合、当該放電コマにおいて、前記充放電器に前記放電動作を行わせない、
請求項７に記載の充放電管理システム。
【請求項９】
前記複数の電気自動車は、社用優先車とピークカット優先車とに分類され、
前記Ｖ２Ｂコントローラーは、前記放電コマにおける放電電力量を設定する場合に、
前記社用優先車の電池の充電量が前記下限充電量を下回らないように、当該放電コマにおける前記社用優先車の放電電力量を設定し、
前記終業時刻における前記ピークカット優先車の電池の充電量が前記下限充電量を下回らないように、当該放電コマにおける前記ピークカット優先車の放電電力量を設定する、
請求項８に記載の充放電管理システム。
【請求項１０】
前記Ｖ２Ｂコントローラーは、
前記放電コマにおける前記社用優先車の放電電力量を設定する場合に、現時点における前記社用優先車の電池の充電量から前記下限充電量を減算した結果を前記残存放電コマ数で除算した結果を、当該放電コマにおける前記社用優先車の放電電力量として設定し、
前記放電コマにおける前記ピークカット優先車の放電電力量を設定する場合に、現時点から前記終業時刻までの期間に前記電気自動車の電池に充電する予定の計画充電量と、現時点における前記ピークカット優先車の電池の充電量から前記下限充電量を減算した結果と、の和を前記残存放電コマ数で除算した結果を、当該放電コマにおける前記ピークカット優先車の放電電力量として設定する、
請求項９に記載の充放電管理システム。
【請求項１１】
前記Ｖ２Ｂコントローラは、
ユーザから、マニュアルモード及びオートモードのうちの何れか一の充放電モードに切り替える指示を受け付け、
前記マニュアルモードに切り替える指示を受け付けた場合、
ユーザから、記枠時間単位で、前記充電コマと前記放電コマとの設定を受け付け、
前記充電コマにおいて前記充放電器に定格の充電電力量で前記充電動作を行わせ、前記放電コマにおいて前記充放電器に定格の放電電力量で前記放電動作を行わせ、
前記オートモードに切り替える指示を受け付けた場合、
過去の所定日数についての前記事業所の一営業日における前記使用電力量の時系列変化を示す第一ロードカーブに基づき、前記事業所の当日における前記使用電力量の時系列変化を示す第二ロードカーブを予測し、
前記第二ロードカーブと、予め定められた、単位時間当たりの目標ピーク電力量と、に基づいて、前記枠時間単位で前記充電コマと前記放電コマとを設定し、
至近の前記所定期間における前記使用電力量に基づき、前記充電コマにおける充電電力量又は前記放電コマにおける放電電力量を設定し、
前記充電コマにおいて、前記充放電器に、当該設定された充電電力量で前記充電動作を行わせ、前記放電コマにおいて、前記充放電器に、当該設定された放電電力量で前記放電動作を行わせる、
請求項１から１０の何れか一項に記載の充放電管理システム。
【発明の詳細な説明】
【技術分野】
【０００１】
本発明は、複数の電気自動車の電池の充放電管理システムに関する。
【背景技術】
【０００２】
従来から、特許文献１及び２等に記載のように、発電所で発電された電力を、電力需要が少ないときに蓄電設備に蓄電し、電力需要が逼迫したときに、蓄電設備から各受電施設に電力を供給するエネルギーマネジメント技術が知られている。近年では、充放電可能な複数の電気自動車（ＥＶ：Ｅｌｅｃｔｒｉｃ  Ｖｅｈｉｃｌｅ）の電池を蓄電設備として利用し、複数の電気自動車とビルや工場等の事業所との間で電力を相互供給する所謂Ｖ２Ｂ（Ｖｅｈｉｃｌｅ  ｔｏ  Ｂｕｉｌｄｉｎｇ）サービスの実現が検討されている。
【先行技術文献】
【特許文献】
【０００３】
【特許文献１】特開２０１８−１２９９１１号公報
【特許文献２】特開２０１９−５８００７号公報
【発明の概要】
【発明が解決しようとする課題】
【０００４】
本発明者は、Ｖ２Ｂサービスを導入するメリットを大きくするため、Ｖ２Ｂサービスにおいて、事業所の負荷による使用電力量が、事業所が電力事業者と契約している上限を超えないように、事業所の負荷への電力供給を制御する所謂ピークカットを行うことを検討している。具体的には、本発明者は、事業所の負荷の電力需要が減少した時間に電気自動車の電池を充電し、事業所の負荷の電力需要が増大した時間に電気自動車の電池に適した電力量の放電を行わせることを検討している。
【０００５】
しかし、事業所の負荷の電力需要を正確に予測することは困難であるため、適切なピークカットを行うことは困難である。また、ピークカットを行うために電気自動車の電池に放電させる電力量が多くなると、ユーザが希望するタイミングで電気自動車を利用することが困難になる。
【０００６】
そこで、電気自動車の電池の充放電を行うタイミングと当該充放電時の電力量とをユーザに設定させ、手動でピークカットを行うことが考えられる。しかし、この場合、ユーザは、事業所での実務経験等から事業所の負荷の電力需要を的確に把握し、電気自動車の電池の充放電のタイミング及び当該充放電時の電力量を適切に設定しなければならない。
【０００７】
本発明は、上記事情に鑑みてなされた発明であり、ユーザが希望する時間に電気自動車を利用可能にし、且つ、適切にピークカットを行うことができる充放電管理システムを提供することを目的とする。
【課題を解決するための手段】
【０００８】
本発明による充放電管理システムは、電力事業者から電力を受給する事業所の充放電管理システムであって、前記電力事業者の送電系統から電力を受電する受電設備と、充放電可能な電池を備える複数の電気自動車と、前記複数の電気自動車のうちの何れかの電気自動車と前記受電設備とに電気的に接続され、前記受電設備が受電した受電電力を用いて前記電気自動車の電池に充電する充電動作と、前記電気自動車の電池から、前記受電設備に電気的に接続された負荷に電力を供給する放電動作と、を行う充放電器と、前記充放電器の前記充電動作及び前記放電動作を制御するＶ２Ｂコントローラと、を備え、前記Ｖ２Ｂコントローラは、ユーザから、所定の枠時間単位で、前記充放電器に前記充電動作を行わせる充電コマと前記充放電器に前記放電動作を行わせる放電コマとの設定を受け付け、至近の所定期間における、前記負荷による前記受電電力の使用電力量に基づき、前記充電コマにおける充電電力量又は前記放電コマにおける放電電力量を設定し、前記充電コマにおいて、前記充放電器に、当該設定された充電電力量で前記充電動作を行わせ、前記放電コマにおいて、前記充放電器に、当該設定された放電電力量で前記放電動作を行わせる。
【０００９】
本構成によれば、ユーザによって設定された充電コマにおいて、至近の所定期間における、負荷による受電電力の使用電力量に基づく充電電力量で充電動作が行われる。また、ユーザによって設定された放電コマにおいて、至近の所定期間における前記使用電力量に基づく放電電力量で放電動作が行われる。このため、本構成は、ユーザが希望する時間に、事業所の負荷の電力需要に適した電力量で、複数の電気自動車の電池の充放電を行うことができる。これにより、本構成は、ユーザが希望する時間に電気自動車を利用可能にし、且つ、適切にピークカットを行うことができる。
【００１０】
また、前記Ｖ２Ｂコントローラは、前記充電コマにおける充電電力量を設定する場合に、予め定められた、前記枠時間における第一目標ピーク電力量と、当該充電コマの開始直前の所定の第一時間における前記使用電力量と、に基づいて当該充電コマにおける余剰電力量を予測し、当該予測した余剰電力量に基づいて当該充電コマにおける充電電力量を設定してもよい。
【００１１】
本構成によれば、充電コマにおける充電電力量を設定する場合に、枠時間における第一目標ピーク電力量と当該充電コマの開始直前の第一時間における前記使用電力量とに基づいて当該充電コマにおける余剰電力量が予測される。そして、当該充電コマでは、当該予測された余剰電力量に基づいて設定された充電電力量で充電動作が行われる。このため、本構成は、充電コマにおいて、負荷及び充電動作による受電電力の使用電力量の和が第一目標ピーク電力量を超えないよう、事業所の負荷の電力需要に適した電力量で、複数の電気自動車の電池の充電を行うことができる。
【００１２】
また、前記Ｖ２Ｂコントローラは、前記充電コマにおける充電電力量を設定する場合に、単位時間当たりの前記使用電力量が一定であるものとして、当該充電コマの開始直前の前記第一時間における前記使用電力量を当該充電コマにおける前記使用電力量に換算し、当該換算の結果を前記第一目標ピーク電力量から減算した結果を、当該充電コマにおける余剰電力量として予測し、当該予測した余剰電力量が０より大きい場合、当該予測した余剰電力量を当該充電コマにおける充電電力量として設定し、当該予測した余剰電力量が０以下の場合、当該充電コマにおいて、前記充放電器に前記充電動作を行わせないようにしてもよい。
【００１３】
本構成によれば、充電コマにおける充電電力量を設定する場合に、当該充電コマの開始直前の第一時間における前記使用電力量が当該充電コマにおける前記使用電力量に換算され、当該換算の結果を第一目標ピーク電力量から減算した結果が当該充電コマにおける余剰電力量として予測される。そして、当該予測された余剰電力量が０より大きい場合、当該充電コマでは、当該予測された余剰電力量と同じ充電電力量で充電動作が行われる。一方、当該予測された余剰電力量が０以下の場合、当該充電コマでは、充電動作が行われなくなる。
【００１４】
このため、本構成は、ユーザが希望する時間に、負荷と充電動作による受電電力の使用電力量の和が第一目標ピーク電力量を超えないよう、事業所の負荷の電力需要に適した電力量で、複数の電気自動車の電池の充電を行うことができる。これとともに、本構成は、余剰電力量が０以下となり、負荷と充電動作による受電電力の使用電力量の和が第一目標ピーク電力量を超えるときには、事業所の負荷の電力需要に応じて複数の電気自動車の電池の充電を適切に停止することができる。
【００１５】
また、前記Ｖ２Ｂコントローラは、前記充電コマの開始時から前記第一時間が経過する度に、前記第一目標ピーク電力量と当該第一時間における前記使用電力量と当該第一時間における充電電力量とに基づいて当該充電コマの残りの期間における余剰電力量を予測し、当該予測した余剰電力量に基づいて当該残りの期間における充電電力量を設定してもよい。
【００１６】
本構成によれば、充電コマの開始時から第一時間が経過する度に、第一目標ピーク電力量と当該第一時間における前記使用電力量と当該第一時間における充電電力量とに基づいて、当該充電コマの残りの期間における余剰電力量が予測される。そして、当該予測した余剰電力量に基づいて当該残りの期間における充電電力量が設定される。
【００１７】
このため、本構成は、充電コマにおける充電動作中に、負荷と充電動作による受電電力の使用電力量の和が第一目標ピーク電力量を超えないよう、充電電力量を事業所の負荷の電力需要により適した電力量に補正することができる。
【００１８】
また、前記Ｖ２Ｂコントローラは、前記充電コマにおいて前記第一時間が経過する度に、単位時間当たりの前記使用電力量が一定であるものとして、当該第一時間における前記使用電力量を前記残りの期間における前記使用電力量に換算し、当該換算の結果と当該充電コマの開始時から現時点までの経過時間における前記使用電力量と前記経過時間における充電電力量との和を、前記第一目標ピーク電力量から減算した結果を、前記残りの期間における余剰電力量として予測し、当該予測した余剰電力量が０より大きい場合、当該予測した余剰電力量を前記残りの期間における充電電力量として設定し、当該予測した余剰電力量が０以下の場合、前記残りの期間において、前記充放電器に前記充電動作を行わせないようにしてもよい。
【００１９】
本構成によれば、充電コマにおいて第一時間が経過する度に、当該第一時間における前記使用電力量が充電コマの残りの期間における前記使用電力量に換算される。そして、当該換算の結果と当該充電コマの開始時から現時点までの経過時間における前記使用電力量と当該経過時間における充電電力量との和を、第一目標ピーク電力量から減算した結果が、充電コマの残りの期間における余剰電力量として予測される。そして、当該予測された余剰電力量が０より大きい場合、当該予測された余剰電力量が充電コマの残りの期間における充電電力量として設定される。一方、当該予測された余剰電力量が０以下の場合、充電コマの残りの期間において充電動作が行われなくなる。
【００２０】
このため、本構成は、充電コマにおける充電動作中に、負荷と充電動作による受電電力の使用電力量の和が第一目標ピーク電力量を超えないよう、充電電力量を事業所の負荷の電力需要により適した電力量に補正することができる。これとともに、本構成は、充電コマにおける充電動作中に、余剰電力量が０以下となり、負荷と充電動作による受電電力の使用電力量の和が第一目標ピーク電力量を超えるときには、事業所の負荷の電力需要に応じて適切に複数の電気自動車の電池の充電を停止することができる。
【００２１】
また、前記Ｖ２Ｂコントローラは、前記事業所の営業時間外の時間を、前記枠時間単位で、前記充電コマとして設定し、前記営業時間外の前記充電コマにおいて、前記充放電器に定格の充電電力量で前記充電動作を行わせ、前記第一時間が経過する度に、当該第一時間における前記使用電力量と当該第一時間において前記充放電器が前記受電電力を使用した電力量との和である至近使用電力量と、予め定められた、前記第一時間における第二目標ピーク電力量と、を比較し、前記至近使用電力量が前記第二目標ピーク電力量よりも大きいときは、当該充電コマにおける残りの期間、前記充放電器に前記充電動作を行わせないようにしてもよい。
【００２２】
本構成によれば、事業所の営業時間外の充電コマにおいて、定格の充電電力量で充電動作が行われる。そして、営業時間外の充電コマにおいて、第一時間が経過する度に、当該第一時間における前記使用電力量と当該第一時間において充放電器が受電電力を使用した電力量との和である至近使用電力量が第二目標ピーク電力量よりも大きいときは、当該充電コマにおける残りの期間、充電動作が行われなくなる。
【００２３】
このため、本構成は、事業所の営業時間外の時間において、複数の電気自動車の電池の充電を迅速に行え、且つ、至近使用電力量が第二目標ピーク電力量を超えないように、事業所の負荷の電力需要に応じて適切に複数の電気自動車の電池の充電を停止することができる。
【００２４】
また、前記Ｖ２Ｂコントローラは、前記放電コマにおける放電電力量を設定する場合に、予め定められた、前記枠時間における第一目標ピーク電力量と、当該放電コマの開始直前の所定の第一時間における前記使用電力量と、に基づいて当該放電コマにおける超過電力量を予測し、当該予測した超過電力量に基づいて当該放電コマにおける放電電力量を設定してもよい。
【００２５】
本構成によれば、放電コマにおける放電電力量を設定する場合に、枠時間における第一目標ピーク電力量と当該放電コマの開始直前の第一時間における前記使用電力量とに基づいて当該放電コマにおける超過電力量が予測される。そして、当該放電コマでは、当該予測された超過電力量に基づいて設定された放電電力量で放電動作が行われる。このため、本構成は、放電コマにおいて、負荷による受電電力の使用電力量が第一目標ピーク電力量を下回るように、事業所の負荷の電力需要に適した電力量で、複数の電気自動車の電池を放電させることができる。
【００２６】
また、前記Ｖ２Ｂコントローラは、前記放電コマにおける放電電力量を設定する場合に、単位時間当たりの前記使用電力量が一定であるものとして、当該放電コマの開始直前の前記第一時間における前記使用電力量を当該放電コマにおける前記使用電力量に換算し、当該換算の結果から前記第一目標ピーク電力量を減算した結果を、当該放電コマにおける超過電力量として予測し、当該予測した超過電力量が０より大きい場合、現時点における前記電気自動車の電池の充電量から、前記電気自動車の利用に必要な所定の下限充電量を減算し、当該減算の結果を、現時点から前記事業所の所定の終業時刻までの期間に設定されている前記放電コマの数である残存放電コマ数で除算した結果に基づいて、当該放電コマにおける放電電力量を設定し、当該予測した超過電力量が０以下の場合、当該放電コマにおいて、前記充放電器に前記放電動作を行わせないようにしてもよい。
【００２７】
本構成によれば、放電コマにおける放電電力量を設定する場合に、当該放電コマの開始直前の第一時間における前記使用電力量が当該放電コマにおける前記使用電力量に換算され、当該換算の結果から第一目標ピーク電力量を減算した結果が当該放電コマにおける超過電力量として予測される。そして、当該予測された超過電力量が０より大きい場合、現時点における複数の電気自動車の電池の充電量から下限充電量を減算した結果を残存放電コマ数で除算した結果に基づいて設定された放電電力量で放電動作が行われる。一方、当該予測された超過電力量が０以下の場合、当該放電コマでは、放電動作が行われなくなる。
【００２８】
このため、本構成は、ユーザが希望する時間に、負荷による受電電力の使用電力量が第一目標ピーク電力量を下回り、且つ、複数の電気自動車を利用できるように、事業所の負荷の電力需要と複数の電気自動車の電池の充電状態に適した電力量で、複数の電気自動車の電池を放電させることができる。これとともに、本構成は、事業所の負荷の電力需要及び複数の電気自動車の電池の充電状態に応じて適切に複数の電気自動車の電池の放電を停止することができる。
【００２９】
また、前記複数の電気自動車は、社用優先車とピークカット優先車とに分類され、前記Ｖ２Ｂコントローラーは、前記放電コマにおける放電電力量を設定する場合に、前記社用優先車の電池の充電量が前記下限充電量を下回らないように、当該放電コマにおける前記社用優先車の放電電力量を設定し、前記終業時刻における前記ピークカット優先車の電池の充電量が前記下限充電量を下回らないように、当該放電コマにおける前記ピークカット優先車の放電電力量を設定してもよい。
【００３０】
本構成によれば、社用優先車の電池の充電量が下限充電量を下回らないように、当該放電コマにおける社用優先車の放電電力量が設定される。このため、本構成は、ユーザが希望する時間に社用優先車を利用させることができる。
【００３１】
また、本構成では、終業時刻におけるピークカット優先車の電池の充電量が下限充電量を下回らないように、当該放電コマにおけるピークカット優先車の放電電力量が設定される。このため、本構成は、現時点から終業時刻までの期間の各放電コマにおいて、ピークカット優先車の電池の充電量が下限充電量を下回ったとしても、終業時刻にピークカット優先車の電池の充電量が下限充電量を下回らないように、ピークカット優先車の電池を放電させることができる。これにより、本構成は、営業時間内においてピークカット優先車の電池をピークカットを行うために有効に利用することができ、且つ、営業時間外において、ユーザが希望する時間にピークカット優先車を利用させることができる。
【００３２】
また、前記Ｖ２Ｂコントローラーは、前記放電コマにおける前記社用優先車の放電電力量を設定する場合に、現時点における前記社用優先車の電池の充電量から前記下限充電量を減算した結果を前記残存放電コマ数で除算した結果を、当該放電コマにおける前記社用優先車の放電電力量として設定し、前記放電コマにおける前記ピークカット優先車の放電電力量を設定する場合に、現時点から前記終業時刻までの期間に前記電気自動車の電池に充電する予定の計画充電量と、現時点における前記ピークカット優先車の電池の充電量から前記下限充電量を減算した結果と、の和を前記残存放電コマ数で除算した結果を、当該放電コマにおける前記ピークカット優先車の放電電力量として設定してもよい。
【００３３】
本構成によれば、現時点における社用優先車の電池の充電量から下限充電量を減算した結果を残存放電コマ数で除算した結果が当該放電コマにおける社用優先車の放電電力量として設定される。このため、本構成は、現時点から終業時刻までの期間、社用優先車の電池の充電量が下限充電量を下回らないように、社用優先車の電池を放電させることができる。
【００３４】
また、本構成では、現時点から終業時刻までの期間に複数の電気自動車の電池に充電する予定の計画充電量と、現時点におけるピークカット優先車の電池の充電量から下限充電量を減算した結果と、の和を残存放電コマ数で除算した結果が当該放電コマにおけるピークカット優先車の放電電力量として設定される。
【００３５】
このため、本構成は、現時点から終業時刻までの期間の各放電コマにおいて、ピークカット優先車の電池の充電量が下限充電量を下回ったとしても、終業時刻には複数の電気自動車の電池が計画充電量だけ充電されているものとして、終業時刻にピークカット優先車の電池の充電量が下限充電量を下回らないように、ピークカット優先車の電池を放電させることができる。
【００３６】
また、前記Ｖ２Ｂコントローラは、ユーザから、マニュアルモード及びオートモードのうちの何れか一の充放電モードに切り替える指示を受け付け、前記マニュアルモードに切り替える指示を受け付けた場合、ユーザから、記枠時間単位で、前記充電コマと前記放電コマとの設定を受け付け、前記充電コマにおいて前記充放電器に定格の充電電力量で前記充電動作を行わせ、前記放電コマにおいて前記充放電器に定格の放電電力量で前記放電動作を行わせ、前記オートモードに切り替える指示を受け付けた場合、過去の所定日数についての前記事業所の一営業日における前記使用電力量の時系列変化を示す第一ロードカーブに基づき、前記事業所の当日における前記使用電力量の時系列変化を示す第二ロードカーブを予測し、前記第二ロードカーブと、予め定められた、単位時間当たりの目標ピーク電力量と、に基づいて、前記枠時間単位で前記充電コマと前記放電コマとを設定し、至近の前記所定期間における前記使用電力量に基づき、前記充電コマにおける充電電力量又は前記放電コマにおける放電電力量を設定し、前記充電コマにおいて、前記充放電器に、当該設定された充電電力量で前記充電動作を行わせ、前記放電コマにおいて、前記充放電器に、当該設定された放電電力量で前記放電動作を行わせてもよい。
【００３７】
本構成によれば、ユーザからマニュアルモードに切り替える指示が受け付けられた場合、ユーザが設定した充電コマにおいて定格の充電電力量で充電動作が行われ、ユーザが設定した放電コマにおいて定格の放電電力量で放電動作が行われる。このため、本構成は、至近の所定期間における前記使用電力量を取得できない事業所等のユーザに、マニュアルモードに切り替える指示を行わせ、当該ユーザの希望する時間に、複数の電気自動車の電池の充放電を迅速に行わせることができる。
【００３８】
一方、本構成によれば、ユーザからオートモードに切り替える指示が受け付けられた場合、第一ロードカーブに基づき予測された第二ロードカーブと、単位時間当たりの目標ピーク電力量と、に基づいて、充電コマと放電コマとが設定される。そして、充電コマでは、至近の所定期間における負荷による受電電力の使用電力量に基づき設定された充電電力量で充電動作が行われる。また、放電コマでは、至近の所定期間における負荷による受電電力の使用電力量に基づき設定された放電電力量で放電動作が行われる。このため、本構成は、第一ロードカーブを取得可能な事業所のユーザに、オートモードに切り替える指示を行わせるだけで、事業所の負荷の需要電力に応じて充電コマＫ１及び放電コマＫ２を適切に設定することができ、事業所の負荷の需要電力に適した電力量で、複数の電気自動車の電池の充放電を行わせることができる。
【発明の効果】
【００３９】
本発明によれば、ユーザが希望する時間に電気自動車を利用可能にし、且つ、適切にピークカットを行うことができる充放電管理システムを提供することができる。
【図面の簡単な説明】
【００４０】
【図１】充放電管理システムの概略構成図である。
【図２】充電コマと放電コマの設定例を示す図である。
【図３Ａ】充電コマにおける充電電力量の設定方法の一例を示す図である。
【図３Ｂ】充電コマにおける充電電力量の補正方法の第一例を示す図である。
【図３Ｃ】充電コマにおける充電電力量の補正方法の第二例を示す図である。
【図４】営業時間外の充電コマにおいて充電動作を継続させるか否かを判定する方法の一例を示す図である。
【図５】放電コマの開始時における事業所の使用電力量の一例を示す図である。
【図６Ａ】社用優先車の電池の充電量の時系列変化を示すグラフの一例を示す図である。
【図６Ｂ】ピークカット優先車の電池の充電量の時系列変化を示すグラフの一例を示す図である。
【図７】当日のロードカーブの予測方法の一例を示す図であり、（Ａ）は過去５日分のロードカーブの一例を示し、（Ｂ）は予測された当日のロードカーブの一例を示す。
【図８】第二ロードカーブの補正方法の一例を示す図であり、（Ａ）は予測誤差の算出方法の一例を示し、（Ｂ）は第二ロードカーブと電力需要予測カーブとの関係の一例を示す。
【図９】オートモードにおいて営業時間内における充電コマ及び放電コマを自動設定する方法の一例を示す図である。
【発明を実施するための形態】
【００４１】
以下、本発明に係る充放電管理システムの実施形態の一例について説明する。図１は、充放電管理システム１００の概略構成図である。図１に示すように、充放電管理システム１００は、受電設備２と、複数の電気自動車３１及び一以上の充放電器３２と、Ｖ２Ｂコントローラ１２と、を備えている。
【００４２】
受電設備２は、電力事業者の送電系統９０から供給される電力を受電する設備である。具体的には、受電設備２は、変圧器２１と、分電盤２２と、電力需給用計器用変成器（以降、ＶＣＴ）２３と、電力量計２４と、通信装置２５と、を備える。
【００４３】
変圧器２１は、電力事業者の送電系統９０から受電した電力（以降、受電電力）を、事業所１の負荷１０及び駐車場３に配置された一以上の充放電器３２の動力用の所定電圧に変換する。分電盤２２は、変圧器２１による変圧後の受電電力を、事業所１の負荷１０及び駐車場３に配置された一以上の充放電器３２へ分配する。
【００４４】
尚、事業所１とは、電力事業者からの受電を契約した事業者が所有する施設のうち、受電設備２及び駐車場３を除いた施設を示している。例えば、事業所１には、工場、事務所、守衛室及び機械室等が含まれる。負荷１０とは、分電盤２２に電気的に接続され、分電盤２２によって分配された変圧器２１による変圧後の電力で動作する電気機器のうち、駐車場３に配置された一以上の充放電器３２を除いた電気機器を示している。例えば、負荷１０には、図１に示す通信装置１１、Ｖ２Ｂコントローラ１２及び操作端末１３が含まれる。また、負荷１０には、不図示の照明、電話機やファクシミリ装置等の通信機器、及びタブレット端末やパーソナルコンピュータ等の情報処理装置等が含まれる。通信装置１１、Ｖ２Ｂコントローラ１２及び操作端末１３の詳細については後述する。
【００４５】
駐車場３には、一以上の充放電器３２が配置され、複数の電気自動車３１が駐車される。図１は、駐車場３に、三個の充放電器３２が配置され、三台の電気自動車３１が駐車された例を示している。尚、駐車場３には、三個に限らず、一個以上の充放電器３２が配置されてもよい。また、駐車場３は、三台に限らず、二台以上の電気自動車３１が駐車可能であればよい。
【００４６】
ＶＣＴ２３は、送電系統９０から受電した高圧及び大電流の受電電力を、電力量計２４が利用可能な低電圧及び小電流の電力に変換する。
【００４７】
電力量計２４は、事業所１の負荷１０及び駐車場３に配置された一以上の充放電器３２のそれぞれ（以降、各電気機器）が変圧器２１及び分電盤２２を介して使用した、受電電力の使用電力量を、ＶＣＴ２３による変換後の電圧及び電流に基づき、単位時間（例えば１０分）毎に計測する。本実施形態では、当該単位時間を１０分であるものとする。電力量計２４は、各電気機器の識別情報と、当該各電気機器による受電電力の使用電力量と、を含む電力量情報を、ネットワーク９を介して、事業所１のＶ２Ｂコントローラ１２へ送信する。尚、ネットワーク９は、電力供給会社が提供する専用通信網やインターネット等の公衆のネットワークによって構成されている。
【００４８】
通信装置２５は、電力量計２４が外部装置とネットワーク９を介して通信するための不図示の各種通信インターフェイス回路を備えている。外部装置には、例えば、事業所１が備えるＶ２Ｂコントローラ１２が含まれる。
【００４９】
電気自動車３１は、例えばリチウムイオン電池等の充放電可能な不図示の電池を備え、当該電池に充電された電力を用いて動作可能な自動車である。電気自動車３１は、事業所１の営業時間内に利用することを優先する社用優先車と、ピークカットを優先するために用いられるピークカット優先車とに、分類されている。ピークカットとは、電力量計２４によって計測される、負荷１０及び一以上の充放電器３２による単位時間当たりの受電電力の使用電力量の和が、事業所１が電力事業者と契約している上限（以降、目標ピーク電力量）を超えないように、負荷１０又は一以上の充放電器３２へ供給する受電電力の電力量を制御することを示す。電気自動車３１は、事業所１の営業時間外においても、事業所１の所員の通勤等に利用される。
【００５０】
充放電器３２は、受電設備２の分電盤２２と電気的に接続されている。充放電器３２には、駐車場３に駐車された複数の電気自動車３１のうちの何れかの電気自動車３１が電気的に接続される。充放電器３２は、分電盤２２によって分配された受電電力を用いて、当該充放電器３２に接続された電気自動車３１の電池に充電する充電動作を行う。また、充放電器３２は、電気自動車３１の電池から、受電設備２の分電盤２２に電気的に接続された事業所１の負荷１０に電力を供給する放電動作を行う。尚、本実施形態では、一個の充放電器３２にそれぞれ一台の電気自動車３１が電気的に接続されるものとする。ただし、これに限らず、一個の充放電器３２に、それぞれ、複数の電気自動車３１が電気的に接続されてもよい。
【００５１】
また、充放電器３２には、不図示の外部装置とネットワーク９を介して通信するための不図示の各種通信インターフェイス回路が内蔵されている。当該外部装置には、例えば、事業所１が備えるＶ２Ｂコントローラ１２が含まれる。例えば、充放電器３２は、内蔵された各種通信インターフェイス回路を用いてＶ２Ｂコントローラ１２との間で通信することで、Ｖ２Ｂコントローラ１２による制御の下、前記充電動作及び前記放電動作を行う。
【００５２】
通信装置１１は、Ｖ２Ｂコントローラ１２が外部装置とネットワーク９を介して通信するための不図示の各種通信インターフェイス回路を備えている。外部装置には、例えば、受電設備２が備える電力量計２４及び充放電器３２等が含まれる。
【００５３】
Ｖ２Ｂコントローラ１２は、所定の演算処理を実行する不図示のＣＰＵ（Ｃｅｎｔｒａｌ  Ｐｒｏｃｅｓｓｉｎｇ  Ｕｎｉｔ）、所定の制御プログラムが記憶されたＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）等の不図示の不揮発性メモリー、データを一時的に記憶するための不図示のＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置により構成された記憶部１２１及びこれらの周辺回路等を備えている。
【００５４】
Ｖ２Ｂコントローラ１２は、不揮発性メモリー等に記憶された制御プログラムをＣＰＵに実行させることで、各種制御を行う。例えば、Ｖ２Ｂコントローラ１２は、電力量計２４が定期的に送信する電力量情報を通信装置１１を介して取得する度に、当該取得した電力量情報を記憶部１２１に記憶する。また、Ｖ２Ｂコントローラ１２は、通信装置１１を介して充放電器３２との間で通信を行うことにより、充放電器３２の充電動作及び放電動作を制御する。また、Ｖ２Ｂコントローラ１２は、通信装置１１を介して充放電器３２との間で通信を行うことにより、所定期間における充放電器３２の充電量又は放電量を取得する。
【００５５】
操作端末１３は、Ｖ２Ｂコントローラ１２を操作するためのタブレット端末やパーソナルコンピュータ等の情報処理装置である。操作端末１３には、Ｖ２Ｂコントローラ１２と通信するための不図示の各種通信インターフェイス回路が内蔵されている。操作端末１３は、内蔵された各種通信インターフェイス回路を用いてＶ２Ｂコントローラ１２との間で通信を行うことにより、Ｖ２Ｂコントローラ１２の操作を行う。
【００５６】
以下、Ｖ２Ｂコントローラ１２による充放電器３２の充電動作及び放電動作の制御について詳述する。
【００５７】
（充電コマと放電コマの設定）
Ｖ２Ｂコントローラ１２は、先ず、ユーザから、予め定められた枠時間単位で、充放電器３２に充電動作を行わせる充電コマと充放電器３２に放電動作を行わせる放電コマとの設定を受け付ける。尚、本実施形態では、枠時間が３０分に定められいるものとする。また、事業所１の営業時間が８時から１７時３０分に定められているものとする。ただし、枠時間及び営業時間は、これらに限定されず、任意に定められてよい。
【００５８】
図２は、充電コマＫ１、Ｋ３と放電コマＫ２の設定例を示す図である。図２の上図は、ロードカーブＧ１０の一例を示す図である。ロードカーブＧ１０とは、事業所１の一営業日における負荷１０による受電電力の使用電力量の時系列変化を示すグラフである。Ｖ２Ｂコントローラ１２は、定期的に、記憶部１２１に記憶されている電力量情報に基づき、例えば、ｈｉｇｈ４  ｏｆ  ５等の公知の手法で、事業所１の営業日毎にロードカーブＧ１０を予測し、当該予測したロードカーブＧ１０を記憶部１２１に記憶する。尚、ユーザは、操作端末１３によって、記憶部１２１に記憶されているロードカーブＧ１０を参照可能となっている。
【００５９】
ユーザは、操作端末１３において、ロードカーブＧ１０を参照し、例えば図２の下図に示すように、ロードカーブＧ１０が示す使用電力量が比較的小さい、８時から１３時までに含まれる１０個の枠時間と、１５時から１７時３０分までに含まれる５個の枠時間と、を充電コマＫ１として設定する操作を行う。一方、ユーザは、操作端末１３において、ロードカーブＧ１０が示す使用電力量が比較的大きい１３時から１５時までに含まれる４個の枠時間を、放電コマＫ２として設定する操作を行う。
【００６０】
操作端末１３は、ユーザにより設定された充電コマＫ１及び放電コマＫ２を示す情報をＶ２Ｂコントローラ１２に送信する。これにより、Ｖ２Ｂコントローラ１２は、受信した情報が示す、充電コマＫ１及び放電コマＫ２を、ユーザが設定した充電コマＫ１及び放電コマＫ２として受け付ける。
【００６１】
Ｖ２Ｂコントローラ１２は、更に、事業所１の営業時間外の時間（本実施形態では、０時から８時及び１７時半から２４時までの時間）を枠時間単位で分割する。そして、Ｖ２Ｂコントローラ１２は、分割された各枠時間を、営業時間外における充電コマＫ３として設定する。
【００６２】
（充電コマにおける充電電力量の設定と充電動作の実行）
次に、Ｖ２Ｂコントローラ１２は、至近の所定期間における、負荷１０による受電電力の使用電力量に基づき、充電コマＫ１における充電電力量又は放電コマＫ２における放電電力量を設定する。
【００６３】
具体的には、Ｖ２Ｂコントローラ１２は、記憶部１２１に記憶されている、至近の所定期間に電力量計２４によって計測された受電電力の使用電力量から、一以上の充放電器３２から取得した当該所定期間における一以上の充放電器３２の充電量又は放電量を除いた結果を、当該所定期間における負荷１０による受電電力の使用電力量として取得する。つまり、Ｖ２Ｂコントローラ１２は、記憶部１２１に記憶されている、当該所定期間に電力量計２４によって計測された受電電力の使用電力量に対し、前記取得した充電量を減算した結果又は前記取得した放電量を加算した結果を、当該所定期間における負荷１０による受電電力の使用電力量として取得する。
【００６４】
つまり、Ｖ２Ｂコントローラ１２は、ユーザにより設定された充電コマＫ１の開始時刻になると、至近の所定期間における負荷１０による受電電力の使用電力量を取得し、当該取得した使用電力量に基づき、充電コマＫ１における充電電力量を設定する。そして、Ｖ２Ｂコントローラ１２は、当該設定した充電電力量で充放電器３２に充電動作を行わせる。
【００６５】
具体的には、Ｖ２Ｂコントローラ１２は、充電コマＫ１における充電電力量を設定する場合に、予め定められた、枠時間における第一目標ピーク電力量と、当該充電コマＫ１の開始直前の所定の第一時間における負荷１０による受電電力の使用電力量と、に基づいて、当該充電コマＫ１における余剰電力量を予測する。そして、Ｖ２Ｂコントローラ１２は、当該予測した余剰電力量に基づいて当該充電コマＫ１における充電電力量を設定する。
【００６６】
以下、Ｖ２Ｂコントローラ１２が１０時から１０時３０分までの充電コマＫ１における充電電力量を設定し、充放電器３２に充電動作を行わせる具体例について図３Ａを用いて説明する。尚、本実施形態では、第一時間が１０分に定められているものとする。
【００６７】
図３Ａは、充電コマＫ１における充電電力量の設定方法の一例を示す図である。図３Ａに示すグラフの横軸は時刻を示し、縦軸は、負荷１０及び充放電器３２のそれぞれによる受電電力の使用電力量を示している。尚、枠時間における第一目標ピーク電力量ＷＤＭは、太字実線矩形で示すように、電力量計２４によって計測される、負荷１０と充放電器３２とによる単位時間（例えば１０分）当たりの受電電力の使用電力量の和が所定の目標ピーク電力量ＰＰＫである場合に、当該負荷１０と充放電器３２とが枠時間である３０分の間に使用する受電電力の電力量の和に定められている。
【００６８】
Ｖ２Ｂコントローラ１２は、負荷１０による単位時間当たりの受電電力の使用電力量が一定であるものとして、充電コマＫ１の開始直前の９時５０分から１０時までの第一時間における負荷１０による受電電力の使用電力量「Ｃ」と、枠時間を第一時間で除算した結果である「３」と、の積「３Ｃ」を算出する。これにより、Ｖ２Ｂコントローラ１２は、太字点線矩形で示すように、当該算出した積「３Ｃ」を、充電コマＫ１の３０分間における負荷１０による受電電力の使用電力量Ｗｐとして換算する。
【００６９】
次に、Ｖ２Ｂコントローラ１２は、当該換算した充電コマＫ１における負荷１０による受電電力の使用電力量Ｗｐ「３Ｃ」を、第一目標ピーク電力量ＷＤＭから減算した結果「３α（＝ＷＤＭ−３Ｃ）」を、当該充電コマＫ１における余剰電力量として予測する。そして、Ｖ２Ｂコントローラ１２は、当該予測した余剰電力量「３α」が０より大きい場合、当該予測した余剰電力量「３α」を当該充電コマＫ１における充電電力量として設定する。
【００７０】
そして、Ｖ２Ｂコントローラ１２は、当該設定した充電電力量で充放電器３２に充電動作を行わせる。具体的には、Ｖ２Ｂコントローラ１２は、充電コマＫ１において、充放電管理システム１００が備える全ての充放電器３２によって、上述の設定した充電電力量の充電が完了するように、当該設定した充電電力量を、充放電管理システム１００が備える充放電器３２の個数で除算する。そして、Ｖ２Ｂコントローラ１２は、充電コマＫ１において、当該除算した結果の充電電力量の充電を完了させることを指示する指示信号を、通信装置１１を介して各充放電器３２に送信する。これにより、電気自動車３１が電気的に接続されている充放電器３２は、充電コマＫ１において、ネットワーク９を介して受信した指示信号が示す充電電力量で当該電気自動車３１の電池を充電する。
【００７１】
一方、Ｖ２Ｂコントローラ１２は、予測した余剰電力量「３α」が０以下の場合、充電コマＫ１において各充放電器３２に充電動作を行わせないようにする。具体的には、Ｖ２Ｂコントローラ１２は、予測した余剰電力量「３α」が０以下の場合、充電動作を停止するように指示する指示信号を、通信装置１１を介して各充放電器３２に送信する。これにより、各充放電器３２は、充電コマＫ１において、ネットワーク９を介して受信した指示信号に従って充電動作を停止する。
【００７２】
つまり、本構成によれば、ユーザによって設定された充電コマＫ１において、至近の所定期間における、負荷１０による受電電力の使用電力量に基づく充電電力量で充電動作が行われる。具体的には、充電コマＫ１における充電電力量を設定する場合、枠時間における第一目標ピーク電力量ＷＤＭと当該充電コマＫ１の開始直前の第一時間における、負荷１０による受電電力の使用電力量とに基づいて当該充電コマＫ１における余剰電力量が予測される。そして、当該充電コマＫ１では、当該予測された余剰電力量に基づいて設定された充電電力量で充電動作が行われる。また、当該予測された余剰電力量が０以下の場合、当該充電コマでは、充電動作が行われなくなる。
【００７３】
このため、本構成は、充電コマＫ１において、負荷１０及び充電動作による受電電力の使用電力量の和が第一目標ピーク電力量ＷＤＭを超えないよう、事業所１の負荷１０の電力需要に適した電力量で、複数の電気自動車３１の電池の充電を行うことができる。これとともに、本構成は、余剰電力量が０以下となり、負荷１０と充電動作による受電電力の使用電力量の和が第一目標ピーク電力量ＷＤＭを超えるときには、事業所１の負荷１０の電力需要に応じて複数の電気自動車３１の電池の充電を適切に停止することができる。これにより、本構成は、適切にピークカットを行うことができる。
【００７４】
（充電コマにおける充電電力量の補正）
また、Ｖ２Ｂコントローラ１２は、充電コマＫ１の開始時から第一時間が経過する度に、当該充電コマＫ１の残りの期間における充電電力量を補正する。具体的には、Ｖ２Ｂコントローラ１２は、充電コマＫ１の開始時から第一時間が経過する度に、第一目標ピーク電力量ＷＤＭと当該第一時間における負荷１０による受電電力の使用電力量と当該第一時間における充電電力量とに基づいて、当該充電コマＫ１の残りの期間における余剰電力量を予測する。そして、Ｖ２Ｂコントローラ１２は、当該予測した余剰電力量に基づいて、当該残りの期間における充電電力量を設定する。
【００７５】
以下、Ｖ２Ｂコントローラ１２が、１０時から１０時３０分までの充電コマＫ１の開始時から第一時間が経過する度に、充電コマＫ１の残りの期間における充電電力量を設定する具体例について図３Ｂ及び図３Ｃを用いて説明する。
【００７６】
図３Ｂは、充電コマＫ１における充電電力量の補正方法の第一例を示す図である。具体的には、図３Ｂは、充電コマＫ１の開始時刻である１０時から、第一時間である１０分が経過した１０時１０分の時点における充電電力量の補正方法の一例を示している。
【００７７】
図３Ｂに示すように、Ｖ２Ｂコントローラ１２は、充電コマＫ１の開始時刻である１０時から第一時間が経過した１０時１０分になると、負荷１０による受電電力の単位時間当たりの使用電力量が一定であるものとして、１０時から１０時１０分までの第一時間における負荷１０による受電電力の使用電力量「Ｄ」と、充電コマＫ１の残りの期間を第一時間で除算した結果である「２」と、の積「２Ｄ」を算出する。これにより、Ｖ２Ｂコントローラ１２は、当該算出した積「２Ｄ」を、充電コマＫ１の残りの期間である、１０時１０分から１０時３０分までの期間における、負荷１０による受電電力の使用電力量として換算する。
【００７８】
次に、Ｖ２Ｂコントローラ１２は、当該換算した充電コマＫ１の残りの期間における負荷１０による受電電力の使用電力量「２Ｄ」と、当該充電コマＫ１の開始時から現時点までの経過時間における負荷１０による受電電力の使用電力量「Ｄ」と、前記経過時間における充電電力量「α」との和「３Ｄ＋α」を算出する。Ｖ２Ｂコントローラ１２は、当該算出した和「３Ｄ＋α」を第一目標ピーク電力量ＷＤＭから減算した結果「２β（＝ＷＤＭ-−３Ｄ−α）」を、充電コマＫ１の残りの期間である、１０時１０分から１０時３０分までの期間における余剰電力量として予測する。
【００７９】
そして、Ｖ２Ｂコントローラ１２は、当該予測した余剰電力量「２β」が０より大きい場合、当該予測した余剰電力量「２β」を、当該充電コマＫ１の残りの期間における充電電力量として設定する。そして、Ｖ２Ｂコントローラ１２は、当該設定した充電電力量で充放電器３２に充電動作を行わせる。一方、Ｖ２Ｂコントローラ１２は、予測した余剰電力量「２β」が０以下の場合、充電動作を停止するように指示する指示信号を、通信装置１１を介して各充放電器３２に送信し、充電コマＫ１の残りの期間において、充放電器３２に充電動作を行わせないようにする。
【００８０】
図３Ｃは、充電コマＫ１における充電電力量の補正方法の第二例を示す図である。具体的には、図３Ｃは、充電コマＫ１の開始時刻である１０時から、第一時間である１０分が経過した後、更に第一時間が経過した１０時２０分の時点における充電電力量の補正方法の一例を示している。
【００８１】
図３Ｃに示すように、Ｖ２Ｂコントローラ１２は、充電コマＫ１の開始時刻である１０時から第一時間が経過した後、更に第一時間が経過した１０時２０分になると、負荷１０による受電電力の単位時間当たりの使用電力量が一定であるものとして、１０時１０分から１０時２０分までの第一時間における負荷１０による受電電力の使用電力量「Ｅ」を、充電コマＫ１の残りの期間である、１０時２０分から１０時３０分までの期間における、負荷１０による受電電力の使用電力量として換算する。
【００８２】
次に、Ｖ２Ｂコントローラ１２は、当該換算した充電コマＫ１の残りの期間における負荷１０による受電電力の使用電力量「Ｅ」と、当該充電コマＫ１の開始時から現時点までの経過時間における負荷１０による受電電力の使用電力量「Ｄ＋Ｅ」と、前記経過時間における充電電力量「α＋β」との和「Ｄ＋２Ｅ＋α＋β」を算出する。そして、Ｖ２Ｂコントローラ１２は、当該算出した和「Ｄ＋２Ｅ＋α＋β」を第一目標ピーク電力量ＷＤＭから減算した結果「γ（＝ＷＤＭ-−Ｄ−２Ｅ−α−β）」を、充電コマＫ１の残りの期間である、１０時２０分から１０時３０分までの期間における余剰電力量として予測する。
【００８３】
そして、Ｖ２Ｂコントローラ１２は、当該予測した余剰電力量「γ」が０より大きい場合、当該予測した余剰電力量「γ」を、当該充電コマＫ１の残りの期間における充電電力量として設定する。そして、Ｖ２Ｂコントローラ１２は、当該設定した充電電力量で充放電器３２に充電動作を行わせる。一方、Ｖ２Ｂコントローラ１２は、予測した余剰電力量「γ」が０以下の場合、充電動作を停止するように指示する指示信号を、通信装置１１を介して各充放電器３２に送信し、充電コマＫ１の残りの期間において、充放電器３２に充電動作を行わせないようにする。
【００８４】
つまり、本構成によれば、充電コマＫ１の開始時から第一時間が経過する度に、第一目標ピーク電力量ＷＤＭと当該第一時間における負荷１０による受電電力の使用電力量と当該第一時間における充電電力量とに基づいて、当該充電コマＫ１の残りの期間における余剰電力量が予測される。そして、当該予測した余剰電力量に基づいて当該残りの期間における充電電力量が設定される。尚、当該予測された余剰電力量が０以下の場合、充電コマＫ１の残りの期間において充電動作が行われなくなる。
【００８５】
このため、本構成は、充電コマＫ１における充電動作中に、負荷１０と充電動作による受電電力の使用電力量の和が第一目標ピーク電力量ＷＤＭを超えないよう、充電電力量を事業所１の負荷１０の電力需要により適した電力量に補正することができる。これとともに、本構成は、充電コマＫ１における充電動作中に、余剰電力量が０以下となり、負荷１０と充電動作による受電電力の使用電力量の和が第一目標ピーク電力量ＷＤＭを超えるときには、事業所１の負荷１０の電力需要に応じて適切に複数の電気自動車３１の電池の充電を停止することができる。
【００８６】
（営業時間外の充電コマにおける充電動作）
尚、Ｖ２Ｂコントローラ１２は、営業時間外における充電コマＫ３においては、充放電器３２に定格の充電電力量で充電動作を行わせる。また、Ｖ２Ｂコントローラ１２は、営業時間外における充電コマＫ３において第一時間が経過する度に、至近使用電力量に基づき、当該充電コマにおける残りの期間、充放電器３２に充電動作を継続させるか否かを判定する。至近使用電力量とは、電力量計２４が計測した、直近の第一時間における受電電力の使用電力量であり、具体的には、当該第一時間における負荷１０による受電電力の使用電力量と当該第一時間において充放電器３２が受電電力を使用した電力量との和である。
【００８７】
以下、Ｖ２Ｂコントローラ１２が、２０時から２０時３０分までの営業時間外の充電コマＫ３の開始時から第一時間が経過する度に、充放電器３２に充電動作を継続させるか否かを判定する具体例について図４を用いて説明する。
【００８８】
図４は、営業時間外の充電コマＫ３において充電動作を継続させるか否かを判定する方法の一例を示す図である。具体的には、図４は、Ｖ２Ｂコントローラ１２が、営業時間外の充電コマＫ３の開始時刻である２０時から、第一時間である１０分が経過した２０時１０分と、更に第一時間が経過した２０時２０分とにおいて、充電動作を継続させるか否かを判定した例を示している。
【００８９】
図４に示すように、Ｖ２Ｂコントローラ１２は、充電コマＫ３の開始時刻である２０時から第一時間が経過した２０時１０分になると、２０時から２０時１０分までの直近の第一時間における負荷１０による受電電力の使用電力量「Ｄ」と、当該第一時間において充放電器３２が受電電力を使用した電力量「δ」との和である至近使用電力量「Ｄ＋δ」と、予め定められた第一時間における第二目標ピーク電力量ＷＤＭ２と、を比較する。尚、第一時間における第二目標ピーク電力量ＷＤＭ２は、太字実線矩形で示すように、電力量計２４によって計測される、負荷１０と充放電器３２とによる受電電力の単位時間当たりの使用電力量の和が目標ピーク電力量ＰＰＫである場合に、当該負荷１０と充放電器３２とが第一時間である１０分の間に使用する受電電力の電力量の和に定められている。
【００９０】
Ｖ２Ｂコントローラ１２は、当該比較の結果、前記至近使用電力量「Ｄ＋δ」が第二目標ピーク電力量ＷＤＭ２以下であるときは、当該充電コマＫ３における残りの期間である、２０時１０分から２０時３０分までの期間、充放電器３２に充電動作を継続させると判定する。この場合、Ｖ２Ｂコントローラ１２は、充放電器３２に定格の充電電力量で充電動作を継続させる。
【００９１】
更に、第一時間が経過した２０時２０分になると、Ｖ２Ｂコントローラ１２は、２０時１０分から２０時２０分までの直近の第一時間における負荷１０による受電電力の使用電力量「Ｅ」と、当該第一時間において充放電器３２が受電電力を使用した電力量「δ」との和である至近使用電力量「Ｅ＋δ」と、第二目標ピーク電力量ＷＤＭ２と、を比較する。
【００９２】
Ｖ２Ｂコントローラ１２は、当該比較の結果、前記至近使用電力量「Ｅ＋δ」が第二目標ピーク電力量ＷＤＭ２より大きいときは、当該充電コマＫ３における残りの期間である、２０時２０分から２０時３０分までの期間、充放電器３２に充電動作を停止させると判定する。この場合、Ｖ２Ｂコントローラ１２は、充電動作を停止するように指示する指示信号を、通信装置１１を介して各充放電器３２に送信し、当該充電コマＫ３の残りの期間である２０時２０分から２０時３０分までの期間において、充放電器３２に充電動作を行わせないようにする。
【００９３】
つまり、本構成によれば、事業所１の営業時間外の充電コマＫ３において、定格の充電電力量で充電動作が行われる。営業時間外の充電コマＫ３では、第一時間が経過する度に、当該第一時間における負荷１０による受電電力の使用電力量と当該第一時間において充放電器３２が受電電力を使用した電力量との和である至近使用電力量が第二目標ピーク電力量ＷＤＭ２よりも大きいときは、当該充電コマＫ３における残りの期間、充電動作が行われなくなる。
【００９４】
このため、本構成は、事業所１の営業時間外の時間において、複数の電気自動車３１の電池の充電を迅速に行え、且つ、至近使用電力量が第二目標ピーク電力量ＷＤＭ２を超えないように、事業所１の負荷１０の電力需要に応じて適切に複数の電気自動車３１の電池の充電を停止することができる。
【００９５】
（放電コマにおける放電電力量の設定と放電動作の実行）
一方、Ｖ２Ｂコントローラ１２は、ユーザにより設定された放電コマＫ２の開始時刻になると、記憶部１２１に記憶されている至近の所定期間の負荷１０の使用電力量に基づき、放電コマＫ２における放電電力量を設定する。そして、Ｖ２Ｂコントローラ１２は、当該設定した放電電力量で充放電器３２に放電動作を行わせる。
【００９６】
具体的には、Ｖ２Ｂコントローラ１２は、放電コマＫ２における放電電力量を設定する場合に、枠時間における第一目標ピーク電力量ＷＤＭと、当該放電コマＫ２の開始直前の第一時間における負荷１０による受電電力の使用電力量と、に基づいて、当該放電コマＫ２における超過電力量を予測する。そして、Ｖ２Ｂコントローラ１２は、当該予測した超過電力量に基づいて、当該放電コマＫ２における放電電力量を設定する。
【００９７】
以下、Ｖ２Ｂコントローラ１２が１３時から１３時３０分までの放電コマＫ２における放電電力量を設定し、充放電器３２に放電動作を行わせる具体例について図５、図６Ａ及び図６Ｂを用いて説明する。
【００９８】
尚、放電コマＫ２は、図２に示すように設定されているものとする。したがって、１３時から１３時３０分までの放電コマＫ２の開始時である１３時から、事業所１の終業時刻である１７時３０分までの期間に設定されている放電コマＫ２の数は、４であるものとする。
【００９９】
図５は、放電コマＫ２の開始時における事業所１の使用電力量の一例を示す図である。図５に示すグラフの横軸は時刻を示し、縦軸は、負荷１０及び充放電器３２のそれぞれによる受電電力の使用電力量を示している。太字実線矩形は、枠時間における第一目標ピーク電力量ＷＤＭを示している。
【０１００】
Ｖ２Ｂコントローラ１２は、負荷１０による単位時間当たりの受電電力の使用電力量が一定であるものとして、放電コマＫ２の開始直前の１２時５０分から１３時の１０分間における負荷１０による受電電力の使用電力量「Ｃ」と、枠時間を第一時間で除算した結果である「３」と、の積「３Ｃ」を算出する。これにより、Ｖ２Ｂコントローラ１２は、太字点線矩形で示すように、当該算出した積「３Ｃ」を、放電コマＫ２の３０分間における負荷１０による受電電力の使用電力量Ｗｐとして換算する。
【０１０１】
次に、Ｖ２Ｂコントローラ１２は、当該換算した放電コマＫ２における負荷１０による受電電力の使用電力量Ｗｐ「３Ｃ」から第一目標ピーク電力量ＷＤＭを減算した結果「３α（＝３Ｃ−ＷＤＭ）」を、当該放電コマＫ２における超過電力量として予測する。
【０１０２】
そして、Ｖ２Ｂコントローラ１２は、当該予測した超過電力量「３α」が０より大きい場合、現時点における電気自動車３１の電池の充電量から、電気自動車３１の利用に必要な所定の下限充電量ＴＨＬを減算した結果を、現時点から事業所１の所定の終業時刻までの期間に設定されている放電コマＫ２の数である残存放電コマ数で除算した結果に基づいて、当該放電コマＫ２における放電電力量を設定する。
【０１０３】
図６Ａは、社用優先車の電池の充電量（ＳｏＣ（Ｓｔａｔｅ  Ｏｆ  Ｃｈａｒｇｅ））の時系列変化を示すグラフＧ２０の一例を示す図である。図６Ａに示すグラフＧ２０の横軸は時刻を示し、縦軸は、社用優先車の電池の充電量を示す。具体的には、図６Ａに示すように、Ｖ２Ｂコントローラ１２は、放電コマＫ２における放電電力量を設定する場合に、社用優先車の電池の充電量が下限充電量ＴＨＬを下回らないように、当該放電コマＫ２における社用優先車の放電電力量を設定する。
【０１０４】
詳述すると、Ｖ２Ｂコントローラ１２は、現時点である当該放電コマＫ２の開始時刻「１３：００」における社用優先車の電池の充電量から下限充電量ＴＨＬを減算する。Ｖ２Ｂコントローラ１２は、当該減算の結果「λ’」を、現時点「１３：００」から事業所１の終業時刻「１７：３０」までの期間に設定されている放電コマＫ２の個数である残存放電コマ数「４」で除算した結果「λ’／４」を、当該放電コマＫ２における社用優先車の放電電力量として設定する。
【０１０５】
図６Ｂは、ピークカット優先車の電池の充電量の時系列変化を示すグラフＧ２１の一例を示す図である。図６Ｂに示すグラフＧ２１の横軸は時刻を示し、縦軸は、ピークカット優先車の電池の充電量を示す。一方、図６Ｂに示すように、Ｖ２Ｂコントローラ１２は、放電コマＫ２における放電電力量を設定する場合に、終業時刻「１７：３０」におけるピークカット優先車の電池の充電量が下限充電量ＴＨＬを下回らないように、当該放電コマＫ２におけるピークカット優先車の放電電力量を設定する。
【０１０６】
具体的には、Ｖ２Ｂコントローラ１２は、現時点である当該放電コマＫ２の開始時刻「１３：００」におけるピークカット優先車の電池の充電量から下限充電量ＴＨＬを減算する。Ｖ２Ｂコントローラ１２は、当該減算の結果「λ’」と、予め定められた、現時点「１３：００」から終業時刻「１７：３０」までの期間に電気自動車３１の電池に充電する予定の計画充電量「σ’」との和を、残存放電コマ数「４」で除算した結果「（λ’＋σ’）／４）」を、当該放電コマにおけるピークカット優先車の放電電力量として設定する。
【０１０７】
計画充電量は、例えば、ｈｉｇｈ４  ｏｆ  ５と呼ばれる公知の方法で、以下のように算出される。図７は、当日のロードカーブＧ１の予測方法の一例を示す図であり、（Ａ）は過去５日分のロードカーブＧ１１〜Ｇ１５の一例を示し、（Ｂ）は予測された当日のロードカーブＧ１の一例を示す。
【０１０８】
例えば、図７（Ａ）に示すように、Ｖ２Ｂコントローラ１２は、記憶部１２１に記憶されている、直近の過去５日分のロードカーブＧ１１〜Ｇ１５を取得する。そして、Ｖ２Ｂコントローラ１２は、当該取得した５日分のロードカーブＧ１１〜Ｇ１５から、営業時間内における負荷１０による受電電力の使用電力量の総和が最小のものを除いた４日分のロードカーブを抽出する。
【０１０９】
そして、Ｖ２Ｂコントローラ１２は、当該抽出した４日分のロードカーブのそれぞれから、負荷１０による受電電力の３０分間の使用電力量を時系列に順次取得する。Ｖ２Ｂコントローラ１２は、前記抽出した４日分のロードカーブのそれぞれから、負荷１０による受電電力の３０分間の使用電力量を取得する度に、当該取得した４日分の使用電力量の平均値を算出する。そして、Ｖ２Ｂコントローラ１２は、図７（Ｂ）に示すように、算出した各平均値を時系列に並べたグラフを当日のロードカーブＧ１として予測する。
【０１１０】
Ｖ２Ｂコントローラ１２は、前記予測した当日のロードカーブＧ１において、現時点「１３：００」から終業時刻「１７：３０」までの期間のうち、負荷１０による単位時間当たりの受電電力の使用電力量が目標ピーク電力量ＰＰＫよりも低い期間における、目標ピーク電力量ＰＰＫから当該使用電力量を減算した結果の積分値を、計画充電量として設定する。
【０１１１】
この場合、現時点から終業時刻までの期間、事業所１の負荷１０による単位時間当たりの受電電力の使用電力量が、予め定められた単位時間当たりの目標ピーク電力量ＰＰＫを超えないようにして、複数の電気自動車３１の電池を充電した場合に電池に充電される電力量を、現時点から終業時刻までの期間に複数の電気自動車３１の電池に充電する予定の計画充電量として、適切に設定することができる。
【０１１２】
尚、計画充電量の設定方法は、これに限らない。例えば、現時点「１３：００」から終業時刻「１７：３０」までの期間に設定されている充電コマＫ１の個数と所定の充電電力量との積を、計画充電量として設定してもよい。
【０１１３】
Ｖ２Ｂコントローラ１２は、放電コマＫ２における放電電力量の設定を行うと、当該設定した放電電力量で充放電器３２に放電動作を行わせる。具体的には、Ｖ２Ｂコントローラ１２は、放電コマＫ２において、通信装置１１を介して社用優先車に接続された各充放電器３２を制御し、上述の設定した社用優先車の放電電力量の放電が完了するように、当該各充放電器３２に接続された社用優先車の電池から放電させる。つまり、Ｖ２Ｂコントローラ１２は、社用優先車に接続された各充放電器３２を制御し、放電動作中の全ての時間において、社用優先車の電池の充電量が下限充電量ＴＨＬを下回らない範囲で、同じ放電量で且つ最大の放電量で、当該各充放電器３２に接続された社用優先車の電池から放電させる。これにより、社用優先車の電池から放電された電力は、分電盤２２を介して負荷１０に送電（供給）される。
【０１１４】
また、Ｖ２Ｂコントローラ１２は、放電コマＫ２において、通信装置１１を介してピークカット優先車に接続された各充放電器３２を制御し、上述の設定したピークカット優先車の放電電力量の放電が完了するように、当該各充放電器３２に接続されたピークカット優先車の電池から放電させる。つまり、Ｖ２Ｂコントローラ１２は、ピークカット優先車に接続された各充放電器３２を制御し、終業時刻「１７：３０」においてピークカット優先車の電池の充電量が下限充電量ＴＨＬを下回らない範囲で、放電動作中の全ての時間において同じ放電量で且つ最大の放電量で、当該各充放電器３２に接続されたピークカット優先車の電池から放電させる。これにより、ピークカット優先車の電池から放電された電力は、分電盤２２を介して負荷１０に送電される。
【０１１５】
一方、Ｖ２Ｂコントローラ１２は、予測した超過電力量「３α」が０以下の場合、当該放電コマＫ２において充放電器３２に放電動作を行わせないようにする。具体的には、Ｖ２Ｂコントローラ１２は、予測した超過電力量「３α」が０以下の場合、放電動作を停止するように指示する指示信号を、通信装置１１を介して各充放電器３２に送信する。これにより、各充放電器３２は、放電コマＫ２において、ネットワーク９を介して受信した指示信号に従って放電動作を停止する。
【０１１６】
つまり、本構成によれば、ユーザによって設定された放電コマＫ２において、至近の所定期間における、負荷１０による受電電力の使用電力量に基づく放電電力量で放電動作が行われる。具体的には、放電コマＫ２における放電電力量を設定する場合に、枠時間における第一目標ピーク電力量ＷＤＭと当該放電コマＫ２の開始直前の第一時間における負荷１０による受電電力の使用電力量とに基づいて当該放電コマＫ２における超過電力量が予測される。そして、当該放電コマＫ２では、当該予測された超過電力量に基づいて設定された放電電力量で放電動作が行われる。尚、当該予測された超過電力量が０以下の場合、当該放電コマＫ２では、放電動作が行われなくなる。
【０１１７】
このため、本構成は、放電コマＫ２において、負荷１０による受電電力の使用電力量が第一目標ピーク電力量ＷＤＭを下回るように、事業所１の負荷１０の電力需要に適した電力量で、複数の電気自動車３１の電池を放電させることができる。これとともに、本構成は、事業所１の負荷１０の電力需要及び複数の電気自動車３１の電池の充電状態に応じて適切に複数の電気自動車３１の電池の放電を停止することができる。これらにより、本構成は、ユーザが希望する時間に複数の電気自動車３１を利用可能にすることができる。
【０１１８】
また、本構成によれば、社用優先車の電池の充電量が下限充電量ＴＨＬを下回らないように、当該放電コマＫ２における社用優先車の放電電力量が設定される。具体的には、放電コマＫ２において、現時点における社用優先車の電池の充電量から下限充電量ＴＨＬを減算した結果を残存放電コマ数で除算した結果が当該放電コマにおける社用優先車の放電電力量として設定される。このため、本構成は、現時点から終業時刻までの期間、社用優先車の電池の充電量が下限充電量ＴＨＬを下回らないように、社用優先車の電池を放電させることができる。このため、本構成は、ユーザが希望する時間に社用優先車を利用させることができる。
【０１１９】
また、本構成では、終業時刻におけるピークカット優先車の電池の充電量が下限充電量ＴＨＬを下回らないように、当該放電コマＫ２におけるピークカット優先車の放電電力量が設定される。具体的には、放電コマＫ２において、現時点から終業時刻までの期間に複数の電気自動車３１の電池に充電する予定の計画充電量と、現時点におけるピークカット優先車の電池の充電量から下限充電量ＴＨＬを減算した結果と、の和を残存放電コマ数で除算した結果が当該放電コマにおけるピークカット優先車の放電電力量として設定される。
【０１２０】
このため、本構成は、現時点から終業時刻までの期間の各放電コマＫ２において、ピークカット優先車の電池の充電量が下限充電量ＴＨＬを下回ったとしても、終業時刻には複数の電気自動車３１の電池が計画充電量だけ充電されているものとして、終業時刻にピークカット優先車の電池の充電量が下限充電量ＴＨＬを下回らないように、ピークカット優先車の電池を放電させることができる。これにより、本構成は、営業時間内においてピークカット優先車の電池をピークカットを行うために有効に利用することができ、且つ、営業時間外において、ユーザが希望する時間にピークカット優先車を利用させることができる。
【０１２１】
（変形実施形態）
尚、上記実施形態は、本発明に係る実施形態の例示に過ぎず、本発明を上記実施形態に限定する趣旨ではない。例えば、以下に示す変形実施形態であってもよい。
【０１２２】
（１）上記実施形態では、ユーザが充電コマＫ１及び放電コマＫ２を設定し、Ｖ２Ｂコントローラ１２が、至近の所定期間における負荷１０による受電電力の使用電力量に基づき、充電コマＫ１における充電電力量及び放電コマＫ２における放電電力量を設定する構成について説明した。
【０１２３】
しかし、受電設備２とＶ２Ｂコントローラ１２とが長距離離間している又は両者の間に遮蔽物があること等により、受電設備２とＶ２Ｂコントローラ１２との間の通信環境に問題があること等が原因で、Ｖ２Ｂコントローラ１２において、至近の所定期間における負荷１０による受電電力の使用電力量の取得が困難な場合がある。一方、事業所１の営業日における負荷１０による受電電力の使用電力量について把握している担当者が存在しないこと等が原因で、充電コマＫ１及び放電コマＫ２の設定をユーザに行わせることが困難な場合がある。
【０１２４】
これらの場合を考慮して、上記実施形態に示した構成を、更に、ユーザが充電コマＫ１及び放電コマＫ２の設定だけでなく、充電コマＫ１における充電電力量及び放電コマＫ２における放電電力量も設定できるマニュアルモードに切り替え可能な構成にしてもよい。また、上記実施形態に示した構成を、更に、ユーザに充電コマＫ１及び放電コマＫ２の設定と充電コマＫ１における充電電力量及び放電コマＫ２における放電電力量の設定とを行わせないオートモードに切り替え可能な構成にしてもよい。
【０１２５】
本構成は、例えば以下のように構成される。Ｖ２Ｂコントローラ１２は、操作端末１３の操作によって、ユーザからマニュアルモード及びオートモードのうちの何れか一の充放電モードに切り替える指示を受け付ける。
【０１２６】
Ｖ２Ｂコントローラ１２は、マニュアルモードに切り替える指示を受け付けた場合、上記実施形態と同様に、ユーザから枠時間単位で充電コマＫ１と放電コマＫ２との設定を受け付ける。そして、Ｖ２Ｂコントローラ１２は、充電コマＫ１において充放電器３２に定格の充電電力量で充電動作を行わせ、放電コマＫ２において充放電器３２に定格の放電電力量で放電動作を行わせる。
【０１２７】
一方、Ｖ２Ｂコントローラ１２は、オートモードに切り替える指示を受け付けた場合、図７を用いて上述したように、過去の所定日数についての事業所１の一営業日における負荷１０による受電電力の使用電力量の時系列変化を示すロードカーブ（第一ロードカーブ）に基づき、事業所１の当日における負荷１０による受電電力の使用電力量の時系列変化を示すロードカーブＧ１（第二ロードカーブ）を予測する。
【０１２８】
そして、Ｖ２Ｂコントローラ１２は、ロードカーブＧ１と、予め定められた、単位時間当たりの目標ピーク電力量ＰＰＫと、に基づいて、枠時間単位で、営業時間内における充電コマＫ１と放電コマＫ２とを設定する。
【０１２９】
具体的には、Ｖ２Ｂコントローラ１２は、枠時間が経過する度に、当該枠時間における負荷１０の受電電力の使用電力量に基づき、ロードカーブＧ１を補正する。
【０１３０】
図８は、ロードカーブＧ１の補正方法の一例を示す図であり、（Ａ）は予測誤差ΔＧの算出方法の一例を示し、（Ｂ）はロードカーブＧ１と電力需要予測値Ｇ４０との関係の一例を示す。例えば、図８（Ａ）に示すように、１０時から枠時間である３０分が経過した１０時３０分になると、Ｖ２Ｂコントローラ１２は、１０時から１０時３０分における負荷１０による受電電力の使用電力量の平均値Ｇ３０を算出する。
【０１３１】
Ｖ２Ｂコントローラ１２は、当該算出した平均値Ｇ３０から、ロードカーブＧ１が示す、現時点である１０時３０分における負荷１０による受電電力の使用電力量を減算した結果を、予測誤差ΔＧとして算出する。そして、Ｖ２Ｂコントローラ１２は、図８（Ｂ）に示すように、当該算出した予測誤差ΔＧを、ロードカーブＧ１が示す負荷１０の受電電力の使用電力量のそれぞれに加算することでロードカーブＧ１を補正する。これにより、Ｖ２Ｂコントローラ１２は、補正後のロードカーブＧ１である電力需要予測値Ｇ４０を算出する。
【０１３２】
次に、Ｖ２Ｂコントローラ１２は、営業時間内において、枠時間が経過する度に、枠時間単位で、現時点以降の補正後のロードカーブＧ１である電力需要予測値Ｇ４０が示す負荷１０による受電電力の使用電力量と、と単位時間当たりの目標ピーク電力量ＰＰＫとを比較する。
【０１３３】
図９は、オートモードにおいて営業時間内における充電コマＫ１及び放電コマＫ２を自動設定する方法の一例を示す図である。図９に示すように、Ｖ２Ｂコントローラ１２は、電力需要予測値Ｇ４０が示す負荷１０による受電電力の使用電力量が、目標ピーク電力量ＰＰＫよりも小さい枠時間を、充電コマＫ１に設定する。一方、Ｖ２Ｂコントローラ１２は、電力需要予測値Ｇ４０が示す負荷１０による受電電力の使用電力量が、目標ピーク電力量ＰＰＫ以上の枠時間を、放電コマＫ２に設定する。尚、Ｖ２Ｂコントローラ１２は、営業時間外の時間については、上記実施形態と同様に、枠時間単位で、営業時間外の充電コマＫ３を設定する。
【０１３４】
そして、Ｖ２Ｂコントローラ１２は、上記実施形態と同様、充電コマＫ１又は放電コマＫ２の開始時刻になると、至近の第一時間における負荷１０の受電電力の使用電力量に基づき、当該充電コマＫ１における充電電力量又は当該放電コマＫ２における放電電力量を設定する。また、Ｖ２Ｂコントローラ１２は、上記実施形態と同様、充電コマＫ１において、充放電器３２に、当該設定された充電電力量で充電動作を行わせ、放電コマＫ２において、充放電器３２に、当該設定された放電電力量で放電動作を行わせる。
【０１３５】
尚、Ｖ２Ｂコントローラ１２は、上記実施形態と同様、充電コマＫ３においては、充放電器３２に定格の充電電力量で充電動作を行わせる。また、Ｖ２Ｂコントローラ１２は、上記実施形態と同様、営業時間外における充電コマＫ３において第一時間が経過する度に、至近使用電力量に基づき、当該充電コマＫ３における残りの期間、充放電器３２に充電動作を継続させるか否かを判定する。至近使用電力量とは、上述のように、直近の第一時間における負荷１０による受電電力の使用電力量と当該第一時間において充放電器３２が受電電力を使用した電力量との和である。
【０１３６】
本構成によれば、至近の所定期間における負荷１０による受電電力の使用電力量を取得できない事業所等のユーザに、マニュアルモードに切り替える指示を行わせ、当該ユーザの希望する時間に、複数の電気自動車３１の電池の充放電を迅速に行わせることができる。一方、第一ロードカーブを取得可能な事業所１のユーザに、オートモードに切り替える指示を行わせるだけで、事業所１の負荷１０の需要電力に応じて充電コマＫ１及び放電コマＫ２を設定することができ、事業所１の負荷の需要電力に適した電力量で、複数の電気自動車３１の電池の充放電を行わせることができる。
【０１３７】
（２）上記実施形態では、複数の電気自動車３１が、社用優先車とピークカット優先車とに分類されている場合について説明した。しかし、これに限らず、複数の電気自動車３１は、社用優先車とピークカット優先車とに分類されなくてもよい。この場合、Ｖ２Ｂコントローラ１２が、放電コマＫ２における放電電力量を、上記実施形態で説明した、放電コマＫ２における社用優先車の放電電力量と同様に設定すればよい。
【０１３８】
（３）Ｖ２Ｂコントローラ１２が、上記実施形態で説明した方法とは他の方法で、予測した超過電力量に基づき、放電コマＫ２における放電電力量を設定するようにしてもよい。例えば、Ｖ２Ｂコントローラ１２が、予測した超過電力量よりも所定の電力量だけ大きい電力量を、当該放電コマＫ２における放電電力量として設定するようにしてもよい。
【０１３９】
（４）Ｖ２Ｂコントローラ１２が、営業時間外の充電コマＫ３において、第一時間が経過する度に、当該充電コマＫ３における残りの期間、充放電器３２に充電動作を継続させるか否かを判定しないようにしてもよい。
【０１４０】
（５）Ｖ２Ｂコントローラ１２が、充電コマＫ１の開始時から第一時間が経過する度に、当該充電コマＫ１の残りの期間における充電電力量を補正しないようにしてもよい。
【０１４１】
（６）Ｖ２Ｂコントローラ１２が、上記実施形態で説明した方法とは他の方法で、予測した余剰電力量に基づき、充電コマＫ１における充電電力量を設定するようにしてもよい。例えば、Ｖ２Ｂコントローラ１２が、予測した余剰電力量よりも所定の電力量だけ小さい電力量を、充電コマＫ１における充電電力量として設定するようにしてもよい。
【符号の説明】
【０１４２】
１        ：事業所
２        ：受電設備
１０      ：負荷
１２      ：Ｖ２Ｂコントローラ
３１      ：電気自動車
３２      ：充放電器
９０      ：送電系統
１００    ：充放電管理システム
Ｇ１      ：ロードカーブ
Ｋ１      ：充電コマ
Ｋ２      ：放電コマ
Ｋ３      ：充電コマ
ＰＰＫ    ：目標ピーク電力量
ＴＨＬ    ：下限充電量
ＷＤＭ    ：第一目標ピーク電力量
ＷＤＭ２  ：第二目標ピーク電力量
【図１】
2022003849.tif 000003
【図２】
2022003849.tif 000004
【図３Ａ】
2022003849.tif 000005
【図３Ｂ】
2022003849.tif 000006
【図３Ｃ】
2022003849.tif 000007
【図４】
2022003849.tif 000008
【図５】
2022003849.tif 000009
【図６Ａ】
2022003849.tif 000010
【図６Ｂ】
2022003849.tif 000011
【図７】
2022003849.tif 000012
【図８】
2022003849.tif 000013
【図９】
2022003849.tif 000014